(57)【特許請求の範囲】
【請求項１】
所定の付加サービスを提供する機能を備えた通信システムに用いられるフェムトセル用基地局であって、
付加サービス制御を示す第１の情報を無線端末から受信した場合、当該受信した情報を、該第１の情報を含むＳＩＰ（Session Initiation Protocol）メッセージに変換する第１の変換手段と、
前記第１の変換手段により変換されたＳＩＰメッセージを、前記通信システムにおける上位装置宛に送信する第１の送信手段と、
を備え、
前記第１の変換手段は、
ＣＰＣ（Calling Party's Category）パラメータを所定の値とすることで、発信元の前記無線端末にかけられている発信規制が存在するか否かに関わらず前記上位装置まで送信させるための規制対象外識別情報を含むＳＩＰメッセージに変換することを特徴とするフェムトセル用基地局。
【請求項２】
前記ＳＩＰメッセージは、ＭＥＳＳＡＧＥメソッドを用い、
前記上位装置は、ショートメッセージゲートウェイ装置であることを特徴とする請求項１記載のフェムトセル用基地局。
【請求項３】
所定の付加サービスを提供する機能を備えた通信システムであって、
請求項１または２記載のフェムトセル用基地局と、
ゲートウェイシステムと、
ＭＡＰ（Mobile Application Part）ゲートウェイ装置と、
を備えて構成されたことを特徴とする通信システム。
【請求項４】
所定の付加サービスを提供する機能を備えた通信システムにおける通信制御方法であって、
フェムトセル用基地局が付加サービス制御を示す第１の情報を無線端末から受信した場合、当該受信した情報を、該第１の情報を含むＳＩＰ（Session Initiation Protocol）メッセージに変換する第１の変換工程と、
前記第１の変換工程により変換されたＳＩＰメッセージを、前記フェムトセル用基地局が前記通信システムにおける上位装置宛に送信する第１の送信工程と、
を備え、
前記第１の変換工程では、
ＣＰＣ（Calling Party's Category）パラメータを所定の値とすることで、発信元の前記無線端末にかけられている発信規制が存在するか否かに関わらず前記上位装置まで送信させるための規制対象外識別情報を含むＳＩＰメッセージに変換することを特徴とする通信制御方法。
【請求項５】
前記ＳＩＰメッセージは、ＭＥＳＳＡＧＥメソッドを用い、
前記上位装置は、ショートメッセージゲートウェイ装置であることを特徴とする請求項４記載の通信制御方法。
【請求項６】
所定の付加サービスを提供する機能を備えた通信システムにおけるフェムトセル用基地局のプログラムであって、
付加サービス制御を示す第１の情報を無線端末から受信した場合、当該受信した情報を、該第１の情報を含むＳＩＰ（Session Initiation Protocol）メッセージに変換する第１の変換処理と、
前記第１の変換処理により変換されたＳＩＰメッセージを、前記通信システムにおける上位装置宛に送信する第１の送信処理と、を前記フェムトセル用基地局のコンピュータに実行させ、
前記第１の変換処理では、
ＣＰＣ（Calling Party's Category）パラメータを所定の値とすることで、発信元の前記無線端末にかけられている発信規制が存在するか否かに関わらず前記上位装置まで送信させるための規制対象外識別情報を含むＳＩＰメッセージに変換することを特徴とするフェムトセル用基地局のプログラム。
【請求項７】
前記ＳＩＰメッセージは、ＭＥＳＳＡＧＥメソッドを用い、
前記上位装置は、ショートメッセージゲートウェイ装置であることを特徴とする請求項６記載のフェムトセル用基地局のプログラム。
【発明の詳細な説明】
【技術分野】
【０００１】
本発明は、例えば着信規制や転送設定など、予め設定された各種の付加サービスを無線端末（ＵＥ；user equipment）に対して提供する通信システムに用いられるフェムトセル用基地局、通信システム、方法および装置のプログラムに関する。
【背景技術】
【０００２】
携帯電話機などのＵＥを呼接続させる既存の公衆移動通信網としての３Ｇ（third generation：第三世代移動体通信）網では、一般に、着信規制や転送設定などの付加サービスがユーザの設定により利用可能となっている。
【０００３】
また、ＩＭＳ（IP Multimedia Subsystem）網によるコアネットワークに既存３Ｇ網を接続したシステムで、既存３Ｇ網におけるＭＳＣ−ＩＷＦ（Mobile Switching Center-Inter Working Function）が信号変換を行うことにより、ＣＢ（Call Barring）、ＣＬＩＲ（Calling Line Identification Restriction）の付加サービスを提供するものがある（例えば、特許文献１参照）。
【０００４】
また、近年、家庭やオフィスなどに設置された有線回線を経由して移動通信コアネットワークに接続させるフェムトセル（femto cell）の可能性が注目されている。
このフェムトセルは、半径数十メートル程度の狭い通信エリアをカバーするフェムトセル用基地局（Femto AP）によりＵＥを無線接続させるものであり、主に家庭内やオフィス内といった室内の通信エリアをカバーする。このことにより、既存のマクロセル（macro cell）基地局のインフラ整備にコストをかけずに通信エリアをカバーすることを可能にしている（例えば、特許文献２参照）。
【先行技術文献】
【特許文献】
【０００５】
【特許文献１】特開２００７−３１１９５１号公報
【特許文献２】特表２００９−５０４０５１号公報
【発明の概要】
【発明が解決しようとする課題】
【０００６】
しかしながら、上述した特許文献１や既存３Ｇ網では、フェムトセルを導入する構成についてまで考慮されていなかった。このため、既存の公衆移動通信網のような付加サービスを実現しようにも、フェムトセル用基地局からの信号をコアネットワークに認識させることができなかった。
【０００７】
また、上述した特許文献２のようなフェムトセル用基地局についても、フェムトセル用基地局を用いて、既存の公衆移動通信網と同様の付加サービスを実現することについてまでは考慮されていなかった。
【０００８】
本発明はこのような状況に鑑みてなされたものであり、フェムトセル用基地局を用いる通信システムで、既存の公衆移動通信網と同様の付加サービスを実現することができるフェムトセル用基地局、通信システム、方法および装置のプログラムを提供することを目的とする。
【課題を解決するための手段】
【０００９】
かかる目的を達成するために、本発明に係るフェムトセル用基地局は、所定の付加サービスを提供する機能を備えた通信システムに用いられるフェムトセル用基地局であって、
付加サービス制御を示す第１の情報を無線端末から受信した場合、当該受信した情報を、該第１の情報を含むＳＩＰ（Session Initiation Protocol）メッセージに変換する第１の変換手段と、
前記第１の変換手段により変換されたＳＩＰメッセージを、前記通信システムにおける上位装置宛に送信する第１の送信手段と、
を備え、
前記第１の変換手段は、
ＣＰＣ（Calling Party's Category）パラメータを所定の値とすることで、発信元の前記無線端末にかけられている発信規制が存在するか否かに関わらず前記上位装置まで送信させるための規制対象外識別情報を含むＳＩＰメッセージに変換することを特徴とする。
【００１２】
また、本発明に係る通信システムは、所定の付加サービスを提供する機能を備えた通信システムであって、
上述した本発明に係るフェムトセル用基地局と、
ゲートウェイシステムと、
ＭＡＰ（Mobile Application Part）ゲートウェイ装置と、
を備えたことを特徴とする。
【００１３】
また、本発明に係る通信制御方法は、所定の付加サービスを提供する機能を備えた通信システムにおける通信制御方法であって、
フェムトセル用基地局が付加サービス制御を示す第１の情報を無線端末から受信した場合、当該受信した情報を、該第１の情報を含むＳＩＰ（Session Initiation Protocol）メッセージに変換する第１の変換工程と、
前記第１の変換工程により変換されたＳＩＰメッセージを、前記フェムトセル用基地局が前記通信システムにおける上位装置宛に送信する第１の送信工程と、
を備え、
前記第１の変換工程では、
ＣＰＣ（Calling Party's Category）パラメータを所定の値とすることで、発信元の前記無線端末にかけられている発信規制が存在するか否かに関わらず前記上位装置まで送信させるための規制対象外識別情報を含むＳＩＰメッセージに変換することを特徴とする。
【００１６】
また、本発明に係るフェムトセル用基地局のプログラムは、所定の付加サービスを提供する機能を備えた通信システムにおけるフェムトセル用基地局のプログラムであって、
付加サービス制御を示す第１の情報を無線端末から受信した場合、当該受信した情報を、該第１の情報を含むＳＩＰ（Session Initiation Protocol）メッセージに変換する第１の変換処理と、
前記第１の変換処理により変換されたＳＩＰメッセージを、前記通信システムにおける上位装置宛に送信する第１の送信処理と、を前記フェムトセル用基地局のコンピュータに実行させ、
前記第１の変換処理では、
ＣＰＣ（Calling Party's Category）パラメータを所定の値とすることで、発信元の前記無線端末にかけられている発信規制が存在するか否かに関わらず前記上位装置まで送信させるための規制対象外識別情報を含むＳＩＰメッセージに変換することを特徴とする。
【発明の効果】
【００１９】
以上のように、本発明によれば、フェムトセル用基地局を用いる通信システムで、既存の公衆移動通信網と同様の付加サービスを実現することができる。
【図面の簡単な説明】
【００２０】
【図１】本発明の実施形態としての通信システムの構成例を示すブロック図である。
【図２】ＵＥ１から送信された情報のＳＩＰメッセージへのマッピング例を示す図である。
【図３】ＳＳ制御の情報をＳＩＰメッセージにマッピングする際の関連データを示す図である。
【図４】ＳＳ制御のサービスメニュー一覧の例を示す図である。
【図５】図４のＴｙｐｅ＃１の場合の動作例を示すシーケンス図である。
【図６】図４のＴｙｐｅ＃１でＯＤＢが設定されている場合の動作例を示すシーケンス図である。
【図７】図４のＴｙｐｅ＃２の場合の動作例を示すシーケンス図である。
【図８】図４のＴｙｐｅ＃２でＯＤＢが設定されている場合の動作例を示すシーケンス図である。
【図９】図４のＴｙｐｅ＃３の場合の動作例を示すシーケンス図である。
【図１０】図４のＴｙｐｅ＃３でＯＤＢが設定されている場合の動作例を示すシーケンス図である。
【図１１】図４のＴｙｐｅ＃４の場合の動作例を示すシーケンス図である。
【図１２】図４のＴｙｐｅ＃４でＯＤＢが設定されている場合の動作例を示すシーケンス図である。
【図１３】図４のＴｙｐｅ＃５の場合の動作例を示すシーケンス図である。
【図１４】図４のＴｙｐｅ＃５でＯＤＢが設定されている場合の動作例を示すシーケンス図である。
【図１５】本実施形態の通信システムの他の構成例を示すブロック図である。
【発明を実施するための形態】
【００２１】
次に、本発明に係るフェムトセル用基地局、ゲートウェイシステム、ＭＡＰゲートウェイ（ＧＷ）装置、通信システム、方法および装置のプログラムを適用した一実施形態について、図面を用いて詳細に説明する。
【００２２】
本実施形態は、フェムトセル用基地局（Femto AP；Femto Access Point）により無線端末であるＵＥの呼接続を行い、３ＧＰＰ（3rd Generation Partnership Project）などの規格に定められた範囲内で、既存の公衆移動通信網と同様の各種付加サービスを実現することができる好適なものを例示している。
【００２３】
本実施形態の通信システムは、図１に示すように、Macro網と、Femto IMS（IP Multimedia subsystem）網と、を有して構成する。
【００２４】
Macro網は、公知の既存３Ｇ網である。Macro網は、ＵＥ（User Equipment）１と、Node-B９１と、ＲＮＣ（Radio Network Controller）９２と、ＭＳＣ（Mobile Services Switching Centre）９３と、ＶＬＲ（Visitor Location Register）９４と、ＳＭＳＣ（Short Message Service Center）９５と、ＨＬＲ（Home Location Register）８と、を備えて構成される。
【００２５】
Macro網を構成するＵＥ１、Node-B９１、ＲＮＣ９２、ＭＳＣ９３、ＶＬＲ９４、ＳＭＳＣ９５、ＨＬＲ８は、３ＧＰＰに準拠した処理を行う装置であるため、具体的な処理動作については省略する。既存のMacro網に利用されている技術については、例えば3GPP TS 33.234 V8.0.0（2007-12）等に開示されている。
【００２６】
Femto IMS網は、所定の通信エリアを構築するFemto AP２と、ネットワークを介して各Femto AP２を接続させるＰＤＧ（Packet Data Gateway）３とが、コアネットワークに接続されて構成される。
コアネットワークは、コール状態制御サーバ（ＣＳＣＦ；Call Session Control Function）４と、ＩＰショートメッセージゲートウェイ装置（ＩＰＳＭＧＷ；IP Short Message Gateway）５と、ＨＳＳ／ＭＡＰＧＷ（Home Subscriber Server / Mobile Application Part Gateway）（コア装置）６と、を含んで構成される。
【００２７】
Femto AP２は、半径数十メートル程度の狭い通信エリアをカバーする小型無線基地局である。
【００２８】
ＰＤＧ３は、メッセージを中継する装置である。
【００２９】
ＣＳＣＦ４は、ＳＩＰ（Session Initiation Protocol）を用いたセッション制御、管理、認証、ルーティング等の機能を有する。
【００３０】
ＩＰＳＭＧＷ５は、ショートメッセージの配信制御及び、付加サービス制御情報の判断、配信制御を行う。
【００３１】
ＨＳＳ／ＭＡＰＧＷ６は、ＶＬＲ（Visitor Location Register）７を有し、Femto IMS網に接続されるＵＥ１の加入者情報を管理する。ＨＳＳ／ＭＡＰＧＷ６は、ＵＥ１の加入者情報をＨＬＲ８から取得し、その取得したＵＥ１の加入者情報をＶＬＲ７に格納して管理する。
【００３２】
また、ＨＳＳ／ＭＡＰＧＷ６は、ＤＩＡＭＥＴＥＲなどＭＡＰ以外のプロトコルによる回線とＭＡＰのプロトコルによる回線とを接続させ、このＭＡＰ以外のプロトコルによる信号とＭＡＰのプロトコルによる信号とを相互に変換するＭＡＰＧＷ機能を備える（ＭＡＰＧＷ装置）。このように、ＨＳＳ／ＭＡＰＧＷ６は、ＨＳＳがＭＡＰＧＷ機能を内部に備えて構成される。
【００３３】
次に、本実施形態による動作の概要について説明する。
本実施形態では、ＵＥ１から送信される３ＧＰＰ規定に基づく信号をFemto AP２が受信すると、Femto AP２は、受信した情報をＳＩＰのＭＥＳＳＡＧＥメソッドでのリクエストメッセージに含めてＩＰＳＭＧＷ５に送信する。
【００３４】
ＳＩＰメッセージには、リクエストの種類を示す各種のメソッドが定義されている。本実施形態のFemto AP２は、付加サービス（ＳＳ；supplementary service）制御のための付加サービス識別情報をＵＥ１から受信すると、その付加サービス識別情報を含むＳＩＰメッセージに変換し、ＭＥＳＳＡＧＥメソッドを用いてＩＰＳＭＧＷ５へ送信する。また、後述するＣＰＣ（Calling Party's Category）パラメータの値をnotificationとする。
このことにより、変換されたＳＩＰメッセージを、ＣＳＣＦ４を通過させてＩＰＳＭＧＷ５まで送信して中継させ、コアネットワークのＨＳＳ／ＭＡＰＧＷ６宛に送信することができる。
【００３５】
ＵＥ１から送信された情報のＳＩＰメッセージへのマッピング例を図２に示す。
ＵＥ１から送信される情報は、３ＧＰＰ規定に基づく周知のフォーマットによるものである。このＵＥ１からの送信フォーマットは、図２に示すように、ＴＩ（Transaction ID）部と、Protocol Discriminator部と、Message Type部と、User Data部とを備える。
【００３６】
ＳＳ制御のための情報をＵＥ１が送信する場合、そのＳＳ制御を示す付加サービス識別情報は、Protocol Discriminator部に格納される。図２に示す例では、ZZZZ=1011の値が、この付加サービス識別情報に該当する。
【００３７】
こうしてＳＳ制御のための情報がＵＥ１から送信されると、Femto AP２は、ＵＥ１から受信した内容を、ＳＩＰメッセージのＢｏｄｙ部に図２の例のように含めてＩＰＳＭＧＷ５に送信する。
なお、Protocol DiscriminatorとしてリクエストメッセージのＢｏｄｙ部に格納する情報は、ＳＳ制御を示す付加サービス識別情報として予め定められたものであれば、上述したZZZZ=1011の例に限定されず、各種のデータ形式であってよい。
【００３８】
また、Short Message Service（ＳＭＳ）を利用するためのメッセージがＵＥ１から送信された場合、そのメッセージにおけるProtocol Discriminatorの値はＳＭＳを示すものとなり、図２の例ではZZZZ=1001となる。
【００３９】
こうしてＳＭＳ利用のための情報がＵＥ１から送信されると、Femto AP２は、Protocol Discriminatorの値を上述のようにＳＭＳを示すものとしてＳＩＰメッセージのＢｏｄｙ部に図２の例のように含めてＩＰＳＭＧＷ５に送信する。
【００４０】
ＩＰＳＭＧＷ５は、Femto AP２からのＳＩＰメッセージを受信すると、このProtocol Discriminatorの値により、受信したＳＩＰメッセージがＳＭＳを示すものであるか、ＳＳ制御を示すものであるかを判別する。
受信したＳＩＰメッセージがＳＭＳを示すものである場合、ＩＰＳＭＧＷ５は送信先をＳＭＳＣ９５とし、受信したＳＩＰメッセージがＳＳ制御を示すものである場合、ＩＰＳＭＧＷ５は送信先をＨＳＳ／ＭＡＰＧＷ６とするよう制御する。
【００４１】
図２に示すＳＩＰメッセージのＢｏｄｙ部におけるＴＮはTransaction Numberを意味する。Ｂｏｄｙ部の先頭に付与されることから、図２中、ＴＮ（Initial）と表記する。
ＴＮは、Femto AP２、ＩＰＳＭＧＷ５、ＨＳＳ／ＭＡＰＧＷ６までの流通区間での各装置による認識に主に用いられるが、ＵＥ１には送受信されない情報である。Transaction IDは、ＵＥ１からＨＳＳ／ＭＡＰＧＷ６までの流通区間で認識されるが、ＩＰＳＭＧＷ５には認識されない情報である。
【００４２】
図２に示すように、ＵＥ１からの信号をFemto AP２が受信し、受信した情報をＳＩＰメッセージのＢｏｄｙ部にマッピングする際、先頭に「ＴＮ=“00 00 00 00”initial」を付与し、ＩＰＳＭＧＷ５に送信する。
ＩＰＳＭＧＷ５は、その返信メッセージをFemto AP２に送信する際、Ｂｏｄｙ部の先頭に「ＴＮ=“xx xx xx xx”（任意）」を付与する。
【００４３】
このように、ＴＮが“00 00 00 00”であれば、そのメッセージを受信した装置は、そのメッセージが各トランザクションにおける初回送信であると認識する。また、各トランザクションにおけるその初回送信以降ではＴＮ=“xx xx xx xx”を共通して使用することで、そのメッセージを受信した装置が、同一のトランザクションであると認識する。
【００４４】
図３に、ＳＳ制御の情報をFemto AP２がＩＰＳＭＧＷ５との間で送受信するための、ＳＩＰメッセージについての関連データを示す。
【００４５】
この図３に示すように、Femto AP２からＳＳ制御について送信するＭＥＳＳＡＧＥメソッドでのＳＩＰメッセージは、送信先を示すＲ−ＵＲＩ（Request-Uniform Resource Identifier）を、上述のようにＩＰＳＭＧＷ５のアドレスとしている。
【００４６】
また、ＰＰＩ（P-Preferred ID）ヘッダにおけるＣＰＣパラメータの値をnotificationとすることで、上述のように、ＳＳ制御のための付加サービス識別情報をＣＳＣＦ４で規制されることなく通過させ、ＩＰＳＭＧＷ５に送信する。
【００４７】
このように、ＣＰＣパラメータの値をnotificationとすることで、ＯＤＢ（Operator Determined Barring ）など所定の発信規制の有無に関わらず、ＳＩＰメッセージをコアネットワークまで送信させることができる。このため、ＣＰＣパラメータの値を規制対象外識別情報として機能させることができる。
【００４８】
ここで、例えばＣＰＣパラメータの値をpriorityにしても、発信規制の有無に関わらずＣＳＣＦ４を通過させ、ＳＩＰメッセージをＩＰＳＭＧＷ５に送信することは可能である。しかしこの場合、優先加入者扱いとなってしまうため、例えば輻輳のための発信規制時においても発信規制が行われないなど、発信規制することが好ましい場合についても一部の規制がうまく行われない問題がある。
【００４９】
これに対し、本実施形態では、ＣＰＣパラメータの値をnotificationとすることにより、そうした規制の不具合もなくＳＩＰメッセージにＣＳＣＦを通過させることができる。このため、ＵＥ１からの付加サービス識別情報を含むよう変換されたＳＩＰメッセージを、所定の発信規制の有無に関わらずＩＰＳＭＧＷ５宛に送信することができる。
【００５０】
また、図３に示すＳＩＰメッセージのＢＯＤＹ部には、図２により上述したように、ＵＥ１から送信されたデータフォーマットにおけるＴＩ以降の内容が含められる。
【００５１】
次に、図４を参照して、ＳＳ制御のサービスメニュー例について説明する。
本実施形態におけるFemto IMS網で既存３Ｇ網と同様に実現する付加サービス（ＳＳ）として、例えばＣＦ（Call Forwarding）、ＣＷ（Call Waiting）、ＣＬＩＰ（Calling Line Identification Presentation）、ＣＬＩＲ（Calling Line Identification Restriction）、ＣＢ（Call Barring）がある。
【００５２】
各サービスメニューによって、その付加サービスを実現するためのＨＬＲ８へのアクセス要否など、ＵＥ１から送信された付加サービス制御についての情報の送信経路が異なる。このため、図４のＴｙｐｅ＃１〜＃５の各パターンについて、以下に図５〜図１４のシーケンス図を参照して動作を説明する。
【００５３】
まず、図４のＴｙｐｅ＃１の場合、すなわち、例えばパスワード登録などの付加サービス要求がＵＥ１から送信された場合の動作について、図５のシーケンス図を参照して説明する。以下の動作例では、ユーザからパスワードの変更要求が入力された場合の例について説明する。
【００５４】
ＵＥ１は、Femto AP２に無線通信接続すると（ステップＡ１）、Message TypeがRegisterでありProtocol DiscriminatorがＳＳである信号により、パスワードの変更要求をFemto AP２に送信する（ステップＡ２）。
【００５５】
Femto AP２は、ＵＥ１から付加サービス制御を示す情報（第１の情報）、すなわちパスワードの変更要求を受信すると、受信した内容をＳＩＰメッセージに上述のようにしてマッピングしてＭＥＳＳＡＧＥメソッドのＳＩＰメッセージに変換する。そして、変換されたＳＩＰメッセージをＩＰＳＭＧＷ５に送信する（ステップＡ３）。
【００５６】
ＩＰＳＭＧＷ５は、Femto AP２からＭＥＳＳＡＧＥメソッドのＳＩＰメッセージによりパスワードの変更要求を受信すると、Protocol DiscriminatorがＳＳであるため、受信した内容をメッセージとして送信する送信先がショートメッセージの場合のＳＭＳＣ９５でなく、ＨＳＳ／ＭＡＰＧＷ６であると判別する。このため、ＩＰＳＭＧＷ５は、受信した内容を例えばＤＩＡＭＥＴＥＲなどの予め定められたＩＰベースのプロトコルのメッセージにマッピングし、こうして変換されたプロトコルのメッセージをＨＳＳ／ＭＡＰＧＷ６に送信する（ステップＡ４）。
【００５７】
また、ＩＰＳＭＧＷ５は、Femto AP２に202 AcceptのＳＩＰメッセージを返信する（ステップＡ５）。
【００５８】
ＨＳＳ／ＭＡＰＧＷ６は、ＩＰＳＭＧＷ５からパスワードの変更要求を受信すると、ＭＡＰＧＷ機能により、受信したメッセージ内容（第２の情報）、すなわちパスワードの変更要求に応じたメソッドのメッセージであるReq-PSWD-invをＨＬＲ８に送信する（ステップＡ６）。
【００５９】
ＨＬＲ８は、パスワードの変更要求を受信すると、現在のパスワード要求をＨＳＳ／ＭＡＰＧＷ６に送信する（ステップＡ７）。
【００６０】
ＨＳＳ／ＭＡＰＧＷ６は、ＨＬＲ８から現在のパスワード要求を受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＡ８）。
【００６１】
ＩＰＳＭＧＷ５は、ＨＳＳ／ＭＡＰＧＷ６から現在のパスワード要求を受信すると、受信した内容をＳＩＰメッセージ内に、Message TypeをFacility、Protocol DiscriminatorをＳＳとして上述のようにしてマッピングしてＳＩＰメッセージに変換し、ＭＥＳＳＡＧＥメソッドによりFemto AP２に送信する（ステップＡ９）。
【００６２】
Femto AP２は、ＩＰＳＭＧＷ５から現在のパスワード要求を受信すると、図２で上述したマッピングの逆として、Message TypeがFacilityでありProtocol DiscriminatorがＳＳである信号に受信した内容をマッピングし、こうして変換された信号により、現在のパスワード要求をＵＥ１に送信する（ステップＡ１０）。
【００６３】
また、Femto AP２は、ＩＰＳＭＧＷ５に202 AcceptのＳＩＰメッセージを返信する（ステップＡ１１）。
【００６４】
こうしてＵＥ１に現在のパスワード要求が送信され、ユーザがＵＥ１に現在のパスワードを入力すると、ＵＥ１は、Message TypeがFacilityでありProtocol DiscriminatorがＳＳである信号により、現在のパスワードをFemto AP２に送信する（ステップＡ１２）。
【００６５】
Femto AP２は、ＵＥ１から付加サービス制御を示す情報（第１の情報）、すなわち現在のパスワード送信要求を受信すると、受信した内容をＳＩＰメッセージに上述のようにしてマッピングしてＭＥＳＳＡＧＥメソッドのＳＩＰメッセージに変換する。そして、変換されたＳＩＰメッセージをＩＰＳＭＧＷ５に送信する（ステップＡ１３）。
【００６６】
ＩＰＳＭＧＷ５は、Femto AP２からＭＥＳＳＡＧＥメソッドのＳＩＰメッセージにより現在のパスワード送信要求を受信すると、Protocol DiscriminatorがＳＳであるため、受信した内容をメッセージとして送信する送信先がショートメッセージの場合のＳＭＳＣ９５でなく、ＨＳＳ／ＭＡＰＧＷ６であると判別する。このため、ＩＰＳＭＧＷ５は、受信した内容を例えばＤＩＡＭＥＴＥＲなどの予め定められたＩＰベースのプロトコルのメッセージにマッピングし、こうして変換されたプロトコルのメッセージをＨＳＳ／ＭＡＰＧＷ６に送信する（ステップＡ１４）。
【００６７】
また、ＩＰＳＭＧＷ５は、Femto AP２に202 AcceptのＳＩＰメッセージを返信する（ステップＡ１５）。
【００６８】
ＨＳＳ／ＭＡＰＧＷ６は、ＩＰＳＭＧＷ５から現在のパスワード送信要求を受信すると、ＭＡＰＧＷ機能により、受信したメッセージ内容（第２の情報）、すなわち現在のパスワード送信要求に応じたメソッドのメッセージであるGet-PSWD-ackをＨＬＲ８に送信する（ステップＡ１６）。
【００６９】
ＨＬＲ８は、現在のパスワード送信要求を受信すると、装置内部に格納されているそのユーザのパスワードと照合し、送信された現在のパスワードが正しいものであれば、新パスワード要求をＨＳＳ／ＭＡＰＧＷ６に送信する（ステップＡ１７）。
【００７０】
ＨＳＳ／ＭＡＰＧＷ６は、ＨＬＲ８から新パスワード要求を受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＡ１８）。
【００７１】
ＩＰＳＭＧＷ５は、ＨＳＳ／ＭＡＰＧＷ６から新パスワード要求を受信すると、受信した内容をＳＩＰメッセージ内に、Message TypeをFacility、Protocol DiscriminatorをＳＳとして上述のようにしてマッピングしてＳＩＰメッセージに変換し、ＭＥＳＳＡＧＥメソッドによりFemto AP２に送信する（ステップＡ１９）。
【００７２】
Femto AP２は、ＩＰＳＭＧＷ５から新パスワード要求を受信すると、図２で上述したマッピングの逆として、Message TypeがFacilityでありProtocol DiscriminatorがＳＳである信号に受信した内容をマッピングし、こうして変換された信号により、新パスワード要求をＵＥ１に送信する（ステップＡ２０）。
【００７３】
また、Femto AP２は、ＩＰＳＭＧＷ５に202 AcceptのＳＩＰメッセージを返信する（ステップＡ２１）。
【００７４】
こうしてＵＥ１に新パスワード要求が送信され、ユーザがＵＥ１に新しいパスワードを入力すると、ＵＥ１は、Message TypeがFacilityでありProtocol DiscriminatorがＳＳである信号により、新パスワードをFemto AP２に送信する（ステップＡ２２）。
【００７５】
Femto AP２は、ＵＥ１から付加サービス制御を示す情報（第１の情報）、すなわち新パスワード送信要求を受信すると、受信した内容をＳＩＰメッセージに上述のようにしてマッピングしてＭＥＳＳＡＧＥメソッドのＳＩＰメッセージに変換する。そして、変換されたＳＩＰメッセージをＩＰＳＭＧＷ５に送信する（ステップＡ２３）。
【００７６】
ＩＰＳＭＧＷ５は、Femto AP２からＭＥＳＳＡＧＥメソッドのＳＩＰメッセージにより新パスワード送信要求を受信すると、Protocol DiscriminatorがＳＳであるため、受信した内容をメッセージとして送信する送信先がショートメッセージの場合のＳＭＳＣ９５でなく、ＨＳＳ／ＭＡＰＧＷ６であると判別する。このため、ＩＰＳＭＧＷ５は、受信した内容を例えばＤＩＡＭＥＴＥＲなどの予め定められたＩＰベースのプロトコルのメッセージにマッピングし、こうして変換されたプロトコルのメッセージをＨＳＳ／ＭＡＰＧＷ６に送信する（ステップＡ２４）。
【００７７】
また、ＩＰＳＭＧＷ５は、Femto AP２に202 AcceptのＳＩＰメッセージを返信する（ステップＡ２５）。
【００７８】
ＨＳＳ／ＭＡＰＧＷ６は、ＩＰＳＭＧＷ５から新パスワード送信要求を受信すると、ＭＡＰＧＷ機能により、受信したメッセージ内容（第２の情報）、すなわち新パスワード送信要求に応じたメソッドのメッセージであるGet-PSWD-ackをＨＬＲ８に送信する（ステップＡ２６）。
【００７９】
ＨＬＲ８は、新パスワード送信要求を受信すると、装置内部に格納されているそのユーザのパスワードに、受信した新パスワードをさらに関連付けて記憶する。そして、新パスワードの再送信要求をＨＳＳ／ＭＡＰＧＷ６に送信する（ステップＡ２７）。
【００８０】
ＨＳＳ／ＭＡＰＧＷ６は、ＨＬＲ８から新パスワードの再送信要求を受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＡ２８）。
【００８１】
ＩＰＳＭＧＷ５は、ＨＳＳ／ＭＡＰＧＷ６から新パスワードの再送信要求を受信すると、受信した内容をＳＩＰメッセージ内に、Message TypeをFacility、Protocol DiscriminatorをＳＳとして上述のようにしてマッピングしてＳＩＰメッセージに変換し、ＭＥＳＳＡＧＥメソッドによりFemto AP２に送信する（ステップＡ２９）。
【００８２】
Femto AP２は、ＩＰＳＭＧＷ５から新パスワードの再送信要求を受信すると、図２で上述したマッピングの逆として、Message TypeがFacilityでありProtocol DiscriminatorがＳＳである信号に受信した内容をマッピングし、こうして変換された信号により、新パスワードの再送信要求をＵＥ１に送信する（ステップＡ３０）。
【００８３】
また、Femto AP２は、ＩＰＳＭＧＷ５に202 AcceptのＳＩＰメッセージを返信する（ステップＡ３１）。
【００８４】
こうしてＵＥ１に新パスワードの再送信要求が送信され、ユーザがＵＥ１に新しいパスワードを再度入力すると、ＵＥ１は、Message TypeがFacilityでありProtocol DiscriminatorがＳＳである信号により、入力された２度目の新パスワードをFemto AP２に送信する（ステップＡ３２）。
【００８５】
Femto AP２は、ＵＥ１から付加サービス制御を示す情報（第１の情報）、すなわち新パスワード送信要求を受信すると、受信した内容をＳＩＰメッセージに上述のようにしてマッピングしてＭＥＳＳＡＧＥメソッドのＳＩＰメッセージに変換する。そして、変換されたＳＩＰメッセージをＩＰＳＭＧＷ５に送信する（ステップＡ３３）。
【００８６】
ＩＰＳＭＧＷ５は、Femto AP２からＭＥＳＳＡＧＥメソッドのＳＩＰメッセージにより新パスワード送信要求を受信すると、Protocol DiscriminatorがＳＳであるため、受信した内容をメッセージとして送信する送信先がショートメッセージの場合のＳＭＳＣ９５でなく、ＨＳＳ／ＭＡＰＧＷ６であると判別する。このため、ＩＰＳＭＧＷ５は、受信した内容を例えばＤＩＡＭＥＴＥＲなどの予め定められたＩＰベースのプロトコルのメッセージにマッピングし、こうして変換されたプロトコルのメッセージをＨＳＳ／ＭＡＰＧＷ６に送信する（ステップＡ３４）。
【００８７】
また、ＩＰＳＭＧＷ５は、Femto AP２に202 AcceptのＳＩＰメッセージを返信する（ステップＡ３５）。
【００８８】
ＨＳＳ／ＭＡＰＧＷ６は、ＩＰＳＭＧＷ５から新パスワード送信要求を受信すると、ＭＡＰＧＷ機能により、受信したメッセージ内容（第２の情報）、すなわち新パスワード送信要求に応じたメソッドのメッセージであるGet-PSWD-ackをＨＬＲ８に送信する（ステップＡ３６）。
【００８９】
ＨＬＲ８は、新パスワード送信要求を受信すると、そのユーザのパスワードに関連付けて記憶されている新パスワードと照合し、受信した新パスワードと同一であれば、ユーザ情報データベースにおけるそのユーザのパスワードを受信した新パスワードに上書きすると共に、パスワード更新完了を示す返信としてReq-PSWD-ackをＨＳＳ／ＭＡＰＧＷ６に送信する（ステップＡ３７、Ａ３８）。
【００９０】
ＨＳＳ／ＭＡＰＧＷ６は、ＨＬＲ８からパスワードの更新完了通知を受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＡ３９）。
【００９１】
ＩＰＳＭＧＷ５は、ＨＳＳ／ＭＡＰＧＷ６からパスワードの更新完了通知を受信すると、受信した内容をＳＩＰメッセージ内に、Message TypeをRelease Comp、Protocol DiscriminatorをＳＳとして上述のようにしてマッピングしてＳＩＰメッセージに変換し、ＭＥＳＳＡＧＥメソッドによりFemto AP２に送信する（ステップＡ４０）。
【００９２】
Femto AP２は、ＩＰＳＭＧＷ５からパスワードの更新完了通知を受信すると、図２で上述したマッピングの逆として、Message TypeがRelease CompでありProtocol DiscriminatorがＳＳである信号に受信した内容をマッピングし、こうして変換された信号により、パスワードの更新完了通知をＵＥ１に送信する（ステップＡ４１）。
【００９３】
また、Femto AP２は、ＩＰＳＭＧＷ５に200 OKのＳＩＰメッセージを返信する（ステップＡ４２）。
【００９４】
こうしてＵＥ１にパスワードの更新完了通知が送信されると、ＵＥ１はFemto AP２との通信接続を解除する（ステップＡ４３）と共に、パスワードの更新完了を画面表示などによりユーザに通知する。
【００９５】
上述した図５の動作例では、ステップＡ２〜Ａ１１、ステップＡ１２〜Ａ２１、ステップＡ２２〜Ａ３１、ステップＡ３２〜Ａ４２がそれぞれ１つのトランザクションを構成し、それらが上述したＴＩ（Transaction ID）により管理されることとなる。
【００９６】
次に、図４のＴｙｐｅ＃１の場合、すなわち、例えばパスワード変更登録などの付加サービス要求がＵＥ１から送信された場合の動作で、ＯＤＢによる発信規制が設定されている場合について、図６のシーケンス図を参照して説明する。
【００９７】
ステップＢ１〜Ｂ６の動作については、上述した図５のシーケンス図におけるステップＡ１〜Ａ６の動作と同様である。
すなわち、ＯＤＢが設定されている場合についても、上述のようにＣＰＣパラメータの値がnotificationとなっているため、ＣＳＣＦ４でのＯＤＢにより規制されることなく、ＵＥ１からのパスワードの変更要求はＨＬＲ８まで送信される。
【００９８】
ＨＬＲ８は、パスワードの変更要求を受信すると、装置内のユーザ情報データベースを参照し、ＯＤＢが設定されているため、errorのメッセージをＨＳＳ／ＭＡＰＧＷ６に送信する（ステップＢ７）。
【００９９】
ＨＳＳ／ＭＡＰＧＷ６は、ＨＬＲ８からerrorを受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＢ８）。
【０１００】
ＩＰＳＭＧＷ５は、ＨＳＳ／ＭＡＰＧＷ６からerrorを受信すると、受信した内容をＳＩＰメッセージ内に、Message TypeをRelease Comp、Protocol DiscriminatorをＳＳとして上述のようにしてマッピングしてＳＩＰメッセージに変換し、ＭＥＳＳＡＧＥメソッドによりFemto AP２に送信する（ステップＢ９）。
【０１０１】
Femto AP２は、ＩＰＳＭＧＷ５からerrorを受信すると、図２で上述したマッピングの逆として、Message TypeがRelease CompでありProtocol DiscriminatorがＳＳである信号に受信した内容をマッピングし、こうして変換された信号により、errorをＵＥ１に送信する（ステップＢ１０）。
【０１０２】
また、Femto AP２は、ＩＰＳＭＧＷ５に200 OKのＳＩＰメッセージを返信する（ステップＢ１１）。
【０１０３】
こうしてＵＥ１にerrorが送信されると、ＵＥ１はFemto AP２との通信接続を解除する（ステップＢ１２）と共に、パスワードの変更不可を画面表示などによりユーザに通知する。
【０１０４】
次に、図４のＴｙｐｅ＃２の場合、すなわち、例えばＣＢの設定、設定解除、一時停止、一時停止の解除といった付加サービス要求がＵＥ１から送信された場合の動作について、図７のシーケンス図を参照して説明する。以下の動作例では、ユーザからＣＢの設定要求が入力された場合の例について説明する。
【０１０５】
ＵＥ１は、Femto AP２に無線通信接続すると（ステップＣ１）、Message TypeがRegisterでありProtocol DiscriminatorがＳＳである信号により、ＣＢの設定要求をFemto AP２に送信する（ステップＣ２）。
【０１０６】
Femto AP２は、ＵＥ１から付加サービス制御を示す情報（第１の情報）、すなわちＣＢの設定要求を受信すると、受信した内容をＳＩＰメッセージに上述のようにしてマッピングしてＭＥＳＳＡＧＥメソッドのＳＩＰメッセージに変換する。そして、変換されたＳＩＰメッセージをＩＰＳＭＧＷ５に送信する（ステップＣ３）。
【０１０７】
ＩＰＳＭＧＷ５は、Femto AP２からＭＥＳＳＡＧＥメソッドのＳＩＰメッセージによりＣＢの設定要求を受信すると、Protocol DiscriminatorがＳＳであるため、受信した内容をメッセージとして送信する送信先がショートメッセージの場合のＳＭＳＣ９５でなく、ＨＳＳ／ＭＡＰＧＷ６であると判別する。このため、ＩＰＳＭＧＷ５は、受信した内容を例えばＤＩＡＭＥＴＥＲなどの予め定められたＩＰベースのプロトコルのメッセージにマッピングし、こうして変換されたプロトコルのメッセージをＨＳＳ／ＭＡＰＧＷ６に送信する（ステップＣ４）。
【０１０８】
また、ＩＰＳＭＧＷ５は、Femto AP２に202 AcceptのＳＩＰメッセージを返信する（ステップＣ５）。
【０１０９】
ＨＳＳ／ＭＡＰＧＷ６は、ＩＰＳＭＧＷ５からＣＢの設定要求を受信すると、ＭＡＰＧＷ機能により、受信したメッセージ内容（第２の情報）、すなわちＣＢの設定要求に応じたメソッドのメッセージであるxSS-invをＨＬＲ８に送信する（ステップＣ６）。
【０１１０】
ＨＬＲ８は、ＣＢの設定要求を受信すると、現在のパスワード要求をＨＳＳ／ＭＡＰＧＷ６に送信する（ステップＣ７）。
【０１１１】
ＨＳＳ／ＭＡＰＧＷ６は、ＨＬＲ８から現在のパスワード要求を受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＣ８）。
【０１１２】
ＩＰＳＭＧＷ５は、ＨＳＳ／ＭＡＰＧＷ６から現在のパスワード要求を受信すると、受信した内容をＳＩＰメッセージ内に、Message TypeをFacility、Protocol DiscriminatorをＳＳとして上述のようにしてマッピングしてＳＩＰメッセージに変換し、ＭＥＳＳＡＧＥメソッドによりFemto AP２に送信する（ステップＣ９）。
【０１１３】
Femto AP２は、ＩＰＳＭＧＷ５から現在のパスワード要求を受信すると、図２で上述したマッピングの逆として、Message TypeがFacilityでありProtocol DiscriminatorがＳＳである信号に受信した内容をマッピングし、こうして変換された信号により、現在のパスワード要求をＵＥ１に送信する（ステップＣ１０）。
【０１１４】
また、Femto AP２は、ＩＰＳＭＧＷ５に202 AcceptのＳＩＰメッセージを返信する（ステップＣ１１）。
【０１１５】
こうしてＵＥ１に現在のパスワード要求が送信され、ユーザがＵＥ１に現在のパスワードを入力すると、ＵＥ１は、Message TypeがFacilityでありProtocol DiscriminatorがＳＳである信号により、現在のパスワードをFemto AP２に送信する（ステップＣ１２）。
【０１１６】
Femto AP２は、ＵＥ１から付加サービス制御を示す情報（第１の情報）、すなわち現在のパスワードを受信すると、受信した内容をＳＩＰメッセージに上述のようにしてマッピングしてＭＥＳＳＡＧＥメソッドのＳＩＰメッセージに変換する。そして、変換されたＳＩＰメッセージをＩＰＳＭＧＷ５に送信する（ステップＣ１３）。
【０１１７】
ＩＰＳＭＧＷ５は、Femto AP２からＭＥＳＳＡＧＥメソッドのＳＩＰメッセージにより現在のパスワードを受信すると、Protocol DiscriminatorがＳＳであるため、受信した内容をメッセージとして送信する送信先がショートメッセージの場合のＳＭＳＣ９５でなく、ＨＳＳ／ＭＡＰＧＷ６であると判別する。このため、ＩＰＳＭＧＷ５は、受信した内容を例えばＤＩＡＭＥＴＥＲなどの予め定められたＩＰベースのプロトコルのメッセージにマッピングし、こうして変換されたプロトコルのメッセージをＨＳＳ／ＭＡＰＧＷ６に送信する（ステップＣ１４）。
【０１１８】
また、ＩＰＳＭＧＷ５は、Femto AP２に202 AcceptのＳＩＰメッセージを返信する（ステップＣ１５）。
【０１１９】
ＨＳＳ／ＭＡＰＧＷ６は、ＩＰＳＭＧＷ５から現在のパスワードを受信すると、ＭＡＰＧＷ機能により、受信したメッセージ内容（第２の情報）、すなわち現在のパスワードに応じたメソッドのメッセージであるxSS-invをＨＬＲ８に送信する（ステップＣ１６）。
【０１２０】
ＨＬＲ８は、現在のパスワードを受信すると、装置内部に格納されているそのユーザのパスワードと照合し、送信された現在のパスワードが正しいものであれば、ＣＢの設定完了を示す返信としてxSS-ackをＨＳＳ／ＭＡＰＧＷ６に送信する（ステップＣ１７）。
【０１２１】
ＨＳＳ／ＭＡＰＧＷ６は、ＨＬＲ８からＣＢの設定完了通知を受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＣ１８）。
【０１２２】
ＩＰＳＭＧＷ５は、ＨＳＳ／ＭＡＰＧＷ６からＣＢの設定完了通知を受信すると、受信した内容をＳＩＰメッセージ内に、Message TypeをRelease Comp、Protocol DiscriminatorをＳＳとして上述のようにしてマッピングしてＳＩＰメッセージに変換し、ＭＥＳＳＡＧＥメソッドによりFemto AP２に送信する（ステップＣ１９）。
【０１２３】
Femto AP２は、ＩＰＳＭＧＷ５からＣＢの設定完了通知を受信すると、図２で上述したマッピングの逆として、Message TypeがRelease CompでありProtocol DiscriminatorがＳＳである信号に受信した内容をマッピングし、こうして変換された信号により、ＣＢの設定完了通知をＵＥ１に送信する（ステップＣ２０）。
【０１２４】
また、Femto AP２は、ＩＰＳＭＧＷ５に200 OKのＳＩＰメッセージを返信する（ステップＣ２１）。
【０１２５】
こうしてＵＥ１にＣＢの設定完了通知が送信されると、ＵＥ１はFemto AP２との通信接続を解除する（ステップＣ２２）と共に、ＣＢの設定完了を画面表示などによりユーザに通知する。
【０１２６】
また、ＨＬＲ８は、上述したステップＣ１６で現在のパスワードを受信し、受信した現在のパスワードが正しいものである場合、上述したステップＣ１７でxSS-ackをＨＳＳ／ＭＡＰＧＷ６に送信すると共に、ユーザ情報データベースにおけるそのユーザのＣＢ設定情報をステップＣ６で受信したＣＢの設定要求の内容に上書きする（ステップＣ２３）。
そして、ＨＳＳ／ＭＡＰＧＷ６にそのユーザのＣＢ設定情報更新の旨をISD-invにより通知する（ステップＣ２４）。
【０１２７】
ＨＳＳ／ＭＡＰＧＷ６は、ＨＬＲ８からＣＢ設定情報更新の旨を受信すると、ＨＬＲ８にISD-ackを返信する（ステップＣ２５）と共に、ＣＳＣＦ４にもＣＢ設定情報更新の旨を通知する（ステップＣ２６）。
【０１２８】
ＣＳＣＦ４は、ＨＳＳ／ＭＡＰＧＷ６からＣＢ設定情報更新の旨を受信すると、ＨＳＳ／ＭＡＰＧＷ６に返信する（ステップＣ２７）と共に、装置内の加入者データベースにおけるそのユーザのＣＢ設定情報をステップＣ２６で受信したＣＢの設定要求の内容に上書きする（ステップＣ２８）。
【０１２９】
ＨＳＳ／ＭＡＰＧＷ６は、ＣＳＣＦ４からＣＢ設定情報更新への返信を受信すると（ステップＣ２７）、ＶＬＲ７におけるそのユーザのＣＢ設定情報をステップＣ２４で受信したＣＢの設定要求の内容に上書きする（ステップＣ２９）。
【０１３０】
次に、図４のＴｙｐｅ＃２の場合、すなわち、例えばＣＢの設定、設定解除、一時停止、一時停止の解除といった付加サービス要求がＵＥ１から送信された場合の動作で、ＯＤＢによる発信規制が設定されている場合について、図８のシーケンス図を参照して説明する。
【０１３１】
ステップＤ１〜Ｄ６の動作については、上述した図７のシーケンス図におけるステップＣ１〜Ｃ６の動作と同様である。
すなわち、ＯＤＢが設定されている場合についても、上述のようにＣＰＣパラメータの値がnotificationとなっているため、ＣＳＣＦ４でのＯＤＢにより規制されることなく、ＵＥ１からのＣＢの設定要求はＨＬＲ８まで送信される。
【０１３２】
ＨＬＲ８は、ＣＢの設定要求を受信すると、装置内のユーザ情報データベースを参照し、ＯＤＢが設定されているため、errorのメッセージをＨＳＳ／ＭＡＰＧＷ６に送信する（ステップＤ７）。
【０１３３】
ＨＳＳ／ＭＡＰＧＷ６は、ＨＬＲ８からerrorを受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＤ８）。
【０１３４】
ＩＰＳＭＧＷ５は、ＨＳＳ／ＭＡＰＧＷ６からerrorを受信すると、受信した内容をＳＩＰメッセージ内に、Message TypeをRelease Comp、Protocol DiscriminatorをＳＳとして上述のようにしてマッピングしてＳＩＰメッセージに変換し、ＭＥＳＳＡＧＥメソッドによりFemto AP２に送信する（ステップＤ９）。
【０１３５】
Femto AP２は、ＩＰＳＭＧＷ５からerrorを受信すると、図２で上述したマッピングの逆として、Message TypeがRelease CompでありProtocol DiscriminatorがＳＳである信号に受信した内容をマッピングし、こうして変換された信号により、errorをＵＥ１に送信する（ステップＤ１０）。
【０１３６】
また、Femto AP２は、ＩＰＳＭＧＷ５に200 OKのＳＩＰメッセージを返信する（ステップＤ１１）。
【０１３７】
こうしてＵＥ１にerrorが送信されると、ＵＥ１はFemto AP２との通信接続を解除する（ステップＤ１２）と共に、ＣＢの設定不可を画面表示などによりユーザに通知する。
【０１３８】
次に、図４のＴｙｐｅ＃３の場合、すなわち、例えばＣＦやＣＷの設定、設定解除、一時停止、一時停止の解除といった付加サービス要求がＵＥ１から送信された場合の動作について、図９のシーケンス図を参照して説明する。
この図４のＴｙｐｅ＃３の動作例は、上述した図４のＴｙｐｅ＃２の場合と異なり、ユーザによるパスワード入力を要求しない場合の動作例となっている。以下の動作例では、ユーザからＣＦの設定要求が入力された場合の例について説明する。
【０１３９】
ＵＥ１は、Femto AP２に無線通信接続すると（ステップＥ１）、Message TypeがRegisterでありProtocol DiscriminatorがＳＳである信号により、ＣＦの設定要求をFemto AP２に送信する（ステップＥ２）。
【０１４０】
Femto AP２は、ＵＥ１から付加サービス制御を示す情報（第１の情報）、すなわちＣＦの設定要求を受信すると、受信した内容をＳＩＰメッセージに上述のようにしてマッピングしてＭＥＳＳＡＧＥメソッドのＳＩＰメッセージに変換する。そして、変換されたＳＩＰメッセージをＩＰＳＭＧＷ５に送信する（ステップＥ３）。
【０１４１】
ＩＰＳＭＧＷ５は、Femto AP２からＭＥＳＳＡＧＥメソッドのＳＩＰメッセージによりＣＦの設定要求を受信すると、Protocol DiscriminatorがＳＳであるため、受信した内容をメッセージとして送信する送信先がショートメッセージの場合のＳＭＳＣ９５でなく、ＨＳＳ／ＭＡＰＧＷ６であると判別する。このため、ＩＰＳＭＧＷ５は、受信した内容を例えばＤＩＡＭＥＴＥＲなどの予め定められたＩＰベースのプロトコルのメッセージにマッピングし、こうして変換されたプロトコルのメッセージをＨＳＳ／ＭＡＰＧＷ６に送信する（ステップＥ４）。
【０１４２】
また、ＩＰＳＭＧＷ５は、Femto AP２に202 AcceptのＳＩＰメッセージを返信する（ステップＥ５）。
【０１４３】
ＨＳＳ／ＭＡＰＧＷ６は、ＩＰＳＭＧＷ５からＣＦの設定要求を受信すると、ＭＡＰＧＷ機能により、受信したメッセージ内容（第２の情報）、すなわちＣＦの設定要求に応じたメソッドのメッセージであるxSS-invをＨＬＲ８に送信する（ステップＥ６）。
【０１４４】
ＨＬＲ８は、ＣＦの設定要求を受信すると、ユーザ情報データベースにおけるそのユーザのＣＦ設定情報をステップＥ６で受信したＣＦの設定要求の内容に上書きする（ステップＥ１３）。そして、ＣＦの設定完了を示す返信としてxSS-ackをＨＳＳ／ＭＡＰＧＷ６に送信する（ステップＥ７）。
【０１４５】
ＨＳＳ／ＭＡＰＧＷ６は、ＨＬＲ８からＣＦの設定完了通知を受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＥ８）。
【０１４６】
ＩＰＳＭＧＷ５は、ＨＳＳ／ＭＡＰＧＷ６からＣＦの設定完了通知を受信すると、受信した内容をＳＩＰメッセージ内に、Message TypeをRelease Comp、Protocol DiscriminatorをＳＳとして上述のようにしてマッピングしてＳＩＰメッセージに変換し、ＭＥＳＳＡＧＥメソッドによりFemto AP２に送信する（ステップＥ９）。
【０１４７】
Femto AP２は、ＩＰＳＭＧＷ５からＣＦの設定完了通知を受信すると、図２で上述したマッピングの逆として、Message TypeがRelease CompでありProtocol DiscriminatorがＳＳである信号に受信した内容をマッピングし、こうして変換された信号により、ＣＦの設定完了通知をＵＥ１に送信する（ステップＥ１０）。
【０１４８】
また、Femto AP２は、ＩＰＳＭＧＷ５に200 OKのＳＩＰメッセージを返信する（ステップＥ１１）。
【０１４９】
こうしてＵＥ１にＣＦの設定完了通知が送信されると、ＵＥ１はFemto AP２との通信接続を解除する（ステップＥ１２）と共に、ＣＦの設定完了を画面表示などによりユーザに通知する。
【０１５０】
また、ＨＬＲ８は、上述したステップＥ１３でユーザ情報データベースにおけるそのユーザのＣＦ設定情報を上書きすると、ＨＳＳ／ＭＡＰＧＷ６にそのユーザのＣＦ設定情報更新の旨をISD-invにより通知する（ステップＥ１４）。
【０１５１】
ＨＳＳ／ＭＡＰＧＷ６は、ＨＬＲ８からＣＦ設定情報更新の旨を受信すると、ＨＬＲ８にISD-ackを返信する（ステップＥ１５）と共に、ＣＳＣＦ４にもＣＦ設定情報更新の旨を通知する（ステップＥ１６）。
【０１５２】
ＣＳＣＦ４は、ＨＳＳ／ＭＡＰＧＷ６からＣＦ設定情報更新の旨を受信すると、ＨＳＳ／ＭＡＰＧＷ６に返信する（ステップＥ１７）と共に、装置内の加入者データベースにおけるそのユーザのＣＦ設定情報をステップＥ１６で受信したＣＦの設定要求の内容に上書きする（ステップＥ１８）。
【０１５３】
ＨＳＳ／ＭＡＰＧＷ６は、ＣＳＣＦ４からＣＦ設定情報更新への返信を受信すると（ステップＥ１７）、ＶＬＲ７におけるそのユーザのＣＦ設定情報をステップＥ１４で受信したＣＦの設定要求の内容に上書きする（ステップＥ１９）。
【０１５４】
次に、図４のＴｙｐｅ＃３の場合、すなわち、例えばＣＦやＣＷの設定、設定解除、一時停止、一時停止の解除といった付加サービス要求がＵＥ１から送信された場合の動作で、ＯＤＢによる発信規制が設定されている場合について、図１０のシーケンス図を参照して説明する。
【０１５５】
ステップＦ１〜Ｆ６の動作については、上述した図９のシーケンス図におけるステップＥ１〜Ｅ６の動作と同様である。
すなわち、ＯＤＢが設定されている場合についても、上述のようにＣＰＣパラメータの値がnotificationとなっているため、ＣＳＣＦ４でのＯＤＢにより規制されることなく、ＵＥ１からのＣＦの設定要求はＨＬＲ８まで送信される。
【０１５６】
ＨＬＲ８は、ＣＦの設定要求を受信すると、装置内のユーザ情報データベースを参照し、ＯＤＢが設定されているため、errorのメッセージをＨＳＳ／ＭＡＰＧＷ６に送信する（ステップＦ７）。
【０１５７】
ＨＳＳ／ＭＡＰＧＷ６は、ＨＬＲ８からerrorを受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＦ８）。
【０１５８】
ＩＰＳＭＧＷ５は、ＨＳＳ／ＭＡＰＧＷ６からerrorを受信すると、受信した内容をＳＩＰメッセージ内に、Message TypeをRelease Comp、Protocol DiscriminatorをＳＳとして上述のようにしてマッピングしてＳＩＰメッセージに変換し、ＭＥＳＳＡＧＥメソッドによりFemto AP２に送信する（ステップＦ９）。
【０１５９】
Femto AP２は、ＩＰＳＭＧＷ５からerrorを受信すると、図２で上述したマッピングの逆として、Message TypeがRelease CompでありProtocol DiscriminatorがＳＳである信号に受信した内容をマッピングし、こうして変換された信号により、errorをＵＥ１に送信する（ステップＦ１０）。
【０１６０】
また、Femto AP２は、ＩＰＳＭＧＷ５に200 OKのＳＩＰメッセージを返信する（ステップＦ１１）。
【０１６１】
こうしてＵＥ１にerrorが送信されると、ＵＥ１はFemto AP２との通信接続を解除する（ステップＦ１２）と共に、ＣＦの設定不可を画面表示などによりユーザに通知する。
【０１６２】
次に、図４のＴｙｐｅ＃４の場合、すなわち、例えばＣＦ設定におけるＣＦＵ（call forwarding unconditional；無条件着信転送）の設定内容参照要求、ＣＢの着信規制についての設定内容参照要求といった付加サービス要求がＵＥ１から送信された場合の動作について、図１１のシーケンス図を参照して説明する。
この図４のＴｙｐｅ＃４の動作例は、参照要求のためにユーザによるパスワード入力を要求まではしないが、ＨＬＲ８へのアクセスを必要とする場合の動作例となっている。以下の動作例では、ユーザからＣＦＵの設定内容参照要求が入力された場合の例について説明する。
【０１６３】
ＵＥ１は、Femto AP２に無線通信接続すると（ステップＧ１）、Message TypeがRegisterでありProtocol DiscriminatorがＳＳである信号により、ＣＦＵの設定内容参照要求をFemto AP２に送信する（ステップＧ２）。
【０１６４】
Femto AP２は、ＵＥ１から付加サービス制御を示す情報（第１の情報）、すなわちＣＦＵの設定内容参照要求を受信すると、受信した内容をＳＩＰメッセージに上述のようにしてマッピングしてＭＥＳＳＡＧＥメソッドのＳＩＰメッセージに変換する。そして、変換されたＳＩＰメッセージをＩＰＳＭＧＷ５に送信する（ステップＧ３）。
【０１６５】
ＩＰＳＭＧＷ５は、Femto AP２からＭＥＳＳＡＧＥメソッドのＳＩＰメッセージによりＣＦＵの設定内容参照要求を受信すると、Protocol DiscriminatorがＳＳであるため、受信した内容をメッセージとして送信する送信先がショートメッセージの場合のＳＭＳＣ９５でなく、ＨＳＳ／ＭＡＰＧＷ６であると判別する。このため、ＩＰＳＭＧＷ５は、受信した内容を例えばＤＩＡＭＥＴＥＲなどの予め定められたＩＰベースのプロトコルのメッセージにマッピングし、こうして変換されたプロトコルのメッセージをＨＳＳ／ＭＡＰＧＷ６に送信する（ステップＧ４）。
【０１６６】
また、ＩＰＳＭＧＷ５は、Femto AP２に202 AcceptのＳＩＰメッセージを返信する（ステップＧ５）。
【０１６７】
ＨＳＳ／ＭＡＰＧＷ６は、ＩＰＳＭＧＷ５からＣＦＵの設定内容参照要求を受信すると、ＭＡＰＧＷ機能により、受信したメッセージ内容（第２の情報）、すなわちＣＦＵの設定内容参照要求に応じたメソッドのメッセージであるISS-invをＨＬＲ８に送信する（ステップＧ６）。
【０１６８】
ＨＬＲ８は、ＣＦＵの設定内容参照要求を受信すると、ユーザ情報データベース内でそのユーザのＣＦＵの設定内容を検索して読み出し、ISS-ackのメッセージによりＨＳＳ／ＭＡＰＧＷ６に送信する（ステップＧ７）。
【０１６９】
ＨＳＳ／ＭＡＰＧＷ６は、ＨＬＲ８からＣＦＵの設定内容を受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＧ８）。
【０１７０】
ＩＰＳＭＧＷ５は、ＨＳＳ／ＭＡＰＧＷ６からＣＦＵの設定内容を受信すると、受信した内容をＳＩＰメッセージ内に、Message TypeをRelease Comp、Protocol DiscriminatorをＳＳとして上述のようにしてマッピングしてＳＩＰメッセージに変換し、ＭＥＳＳＡＧＥメソッドによりFemto AP２に送信する（ステップＧ９）。
【０１７１】
Femto AP２は、ＩＰＳＭＧＷ５からＣＦＵの設定内容を受信すると、図２で上述したマッピングの逆として、Message TypeがRelease CompでありProtocol DiscriminatorがＳＳである信号に受信した内容をマッピングし、こうして変換された信号により、ＣＦＵの設定内容をＵＥ１に送信する（ステップＧ１０）。
【０１７２】
また、Femto AP２は、ＩＰＳＭＧＷ５に200 OKのＳＩＰメッセージを返信する（ステップＧ１１）。
【０１７３】
こうしてＵＥ１にＣＦＵの設定内容が送信されると、ＵＥ１はFemto AP２との通信接続を解除する（ステップＧ１２）と共に、ＣＦＵの設定内容を画面表示などによりユーザに通知する。
【０１７４】
次に、図４のＴｙｐｅ＃４の場合、すなわち、例えばＣＦ設定におけるＣＦＵ（call forwarding unconditional；無条件着信転送）の設定内容参照要求、ＣＢの着信規制についての設定内容参照要求といった付加サービス要求がＵＥ１から送信された場合の動作で、ＯＤＢによる発信規制が設定されている場合について、図１２のシーケンス図を参照して説明する。
【０１７５】
ステップＨ１〜Ｈ５の動作については、上述した図１１のシーケンス図におけるステップＧ１〜Ｇ５の動作と同様である。
すなわち、ＯＤＢが設定されている場合についても、上述のようにＣＰＣパラメータの値がnotificationとなっているため、ＣＳＣＦ４でのＯＤＢにより規制されることなく、ＵＥ１からのＣＦＵの設定内容参照要求は、ＨＳＳ／ＭＡＰＧＷ６まで送信される。
【０１７６】
ＨＳＳ／ＭＡＰＧＷ６は、ＣＦＵの設定内容参照要求を受信すると、装置内のＶＬＲ７を参照し、そのユーザに対してＯＤＢが設定されているため、errorのメッセージをＤＩＡＭＥＴＥＲなどのプロトコルのメッセージにマッピングし、ＩＰＳＭＧＷ５に送信する（ステップＨ６）。
【０１７７】
ＩＰＳＭＧＷ５は、ＨＳＳ／ＭＡＰＧＷ６からerrorを受信すると、受信した内容をＳＩＰメッセージ内に、Message TypeをRelease Comp、Protocol DiscriminatorをＳＳとして上述のようにしてマッピングしてＳＩＰメッセージに変換し、ＭＥＳＳＡＧＥメソッドによりFemto AP２に送信する（ステップＨ７）。
【０１７８】
Femto AP２は、ＩＰＳＭＧＷ５からerrorを受信すると、図２で上述したマッピングの逆として、Message TypeがRelease CompでありProtocol DiscriminatorがＳＳである信号に受信した内容をマッピングし、こうして変換された信号により、errorをＵＥ１に送信する（ステップＨ８）。
【０１７９】
また、Femto AP２は、ＩＰＳＭＧＷ５に200 OKのＳＩＰメッセージを返信する（ステップＨ９）。
【０１８０】
こうしてＵＥ１にerrorが送信されると、ＵＥ１はFemto AP２との通信接続を解除する（ステップＨ１０）と共に、ＣＦＵの設定内容参照不可を画面表示などによりユーザに通知する。
【０１８１】
次に、図４のＴｙｐｅ＃５の場合、すなわち、例えばＣＦ設定におけるＣＦＢ（call forwarding busy；話中時着信転送）、ＣＦＮＲｃ（Call Forwarding on Mobile Subscriber Not Reachable）、ＣＦＮＲｙ（Call Forwarding on No Reply）の設定内容参照要求、ＣＢの発信規制についての設定内容参照要求、ＣＷ、ＣＬＩＰ、ＣＬＩＲの設定内容参照要求、といった付加サービス要求がＵＥ１から送信された場合の動作について、図１３のシーケンス図を参照して説明する。
この図４のＴｙｐｅ＃５の動作例は、参照要求のためのユーザによるパスワード入力、ＨＬＲ８へのアクセスを何れも必要としない場合の動作例となっている。以下の動作例では、ユーザからＣＷの設定内容参照要求が入力された場合の例について説明する。
【０１８２】
ＵＥ１は、Femto AP２に無線通信接続すると（ステップＩ１）、Message TypeがRegisterでありProtocol DiscriminatorがＳＳである信号により、ＣＷの設定内容参照要求をFemto AP２に送信する（ステップＩ２）。
【０１８３】
Femto AP２は、ＵＥ１から付加サービス制御を示す情報（第１の情報）、すなわちＣＷの設定内容参照要求を受信すると、受信した内容をＳＩＰメッセージに上述のようにしてマッピングしてＭＥＳＳＡＧＥメソッドのＳＩＰメッセージに変換する。そして、変換されたＳＩＰメッセージをＩＰＳＭＧＷ５に送信する（ステップＩ３）。
【０１８４】
ＩＰＳＭＧＷ５は、Femto AP２からＭＥＳＳＡＧＥメソッドのＳＩＰメッセージによりＣＷの設定内容参照要求を受信すると、Protocol DiscriminatorがＳＳであるため、受信した内容をメッセージとして送信する送信先がショートメッセージの場合のＳＭＳＣ９５でなく、ＨＳＳ／ＭＡＰＧＷ６であると判別する。このため、ＩＰＳＭＧＷ５は、受信した内容を例えばＤＩＡＭＥＴＥＲなどの予め定められたＩＰベースのプロトコルのメッセージにマッピングし、こうして変換されたプロトコルのメッセージをＨＳＳ／ＭＡＰＧＷ６に送信する（ステップＩ４）。
【０１８５】
また、ＩＰＳＭＧＷ５は、Femto AP２に202 AcceptのＳＩＰメッセージを返信する（ステップＩ５）。
【０１８６】
ＨＳＳ／ＭＡＰＧＷ６は、ＩＰＳＭＧＷ５からＣＷの設定内容参照要求を受信すると、装置内のＶＬＲ７を検索してそのユーザのＣＷの設定内容を読み出し、ＭＡＰＧＷ機能により、ＤＩＡＭＥＴＥＲなどのプロトコルのメッセージにマッピングし、ＩＰＳＭＧＷ５に送信する（ステップＩ６）。
【０１８７】
ＩＰＳＭＧＷ５は、ＨＳＳ／ＭＡＰＧＷ６からＣＷの設定内容を受信すると、受信した内容をＳＩＰメッセージ内に、Message TypeをRelease Comp、Protocol DiscriminatorをＳＳとして上述のようにしてマッピングしてＳＩＰメッセージに変換し、ＭＥＳＳＡＧＥメソッドによりFemto AP２に送信する（ステップＩ７）。
【０１８８】
Femto AP２は、ＩＰＳＭＧＷ５からＣＷの設定内容を受信すると、図２で上述したマッピングの逆として、Message TypeがRelease CompでありProtocol DiscriminatorがＳＳである信号に受信した内容をマッピングし、こうして変換された信号により、ＣＷの設定内容をＵＥ１に送信する（ステップＩ８）。
【０１８９】
また、Femto AP２は、ＩＰＳＭＧＷ５に200 OKのＳＩＰメッセージを返信する（ステップＩ９）。
【０１９０】
こうしてＵＥ１にＣＷの設定内容が送信されると、ＵＥ１はFemto AP２との通信接続を解除する（ステップＩ１０）と共に、ＣＷの設定内容を画面表示などによりユーザに通知する。
【０１９１】
次に、図４のＴｙｐｅ＃５の場合、すなわち、例えばＣＦ設定におけるＣＦＢ（call forwarding busy；話中時着信転送）、ＣＦＮＲｃ（Call Forwarding on Mobile Subscriber Not Reachable）、ＣＦＮＲｙ（Call Forwarding on No Reply）の設定内容参照要求、ＣＢの発信規制についての設定内容参照要求、ＣＷ、ＣＬＩＰ、ＣＬＩＲの設定内容参照要求、といった付加サービス要求がＵＥ１から送信された場合の動作で、ＯＤＢによる発信規制が設定されている場合について、図１４のシーケンス図を参照して説明する。
【０１９２】
ステップＪ１〜Ｊ５の動作については、上述した図１３のシーケンス図におけるステップＩ１〜Ｉ５の動作と同様である。
すなわち、ＯＤＢが設定されている場合についても、上述のようにＣＰＣパラメータの値がnotificationとなっているため、ＣＳＣＦ４でのＯＤＢにより規制されることなく、ＵＥ１からのＣＷの設定内容参照要求は、ＨＳＳ／ＭＡＰＧＷ６まで送信される。
【０１９３】
ＨＳＳ／ＭＡＰＧＷ６は、ＣＷの設定内容参照要求を受信すると、装置内のＶＬＲ７を参照し、そのユーザに対してＯＤＢが設定されているため、errorのメッセージをＤＩＡＭＥＴＥＲなどのプロトコルのメッセージにマッピングし、ＩＰＳＭＧＷ５に送信する（ステップＪ６）。
【０１９４】
ＩＰＳＭＧＷ５は、ＨＳＳ／ＭＡＰＧＷ６からerrorを受信すると、受信した内容をＳＩＰメッセージ内に、Message TypeをRelease Comp、Protocol DiscriminatorをＳＳとして上述のようにしてマッピングしてＳＩＰメッセージに変換し、ＭＥＳＳＡＧＥメソッドによりFemto AP２に送信する（ステップＪ７）。
【０１９５】
Femto AP２は、ＩＰＳＭＧＷ５からerrorを受信すると、図２で上述したマッピングの逆として、Message TypeがRelease CompでありProtocol DiscriminatorがＳＳである信号に受信した内容をマッピングし、こうして変換された信号により、errorをＵＥ１に送信する（ステップＪ８）。
【０１９６】
また、Femto AP２は、ＩＰＳＭＧＷ５に200 OKのＳＩＰメッセージを返信する（ステップＪ９）。
【０１９７】
こうしてＵＥ１にerrorが送信されると、ＵＥ１はFemto AP２との通信接続を解除する（ステップＪ１０）と共に、ＣＷの設定内容参照不可を画面表示などによりユーザに通知する。
【０１９８】
以上のように、上述した実施形態によれば、ＵＥ１がFemto AP２に収容された場合であっても、ＵＥ１からの付加サービス制御についての情報をコアネットワークに認識させることができる。このため、ＵＥ１がMacro網のNode-B９１に収容された場合と同様の付加サービス制御を提供することができる。
【０１９９】
このように、本実施形態によれば、Femto AP２を備えたFemto IMS網で、既存３Ｇ網と同様の付加サービスを実現することができる。
【０２００】
また、本実施形態では、ＵＥ１からの付加サービス識別情報を含むようFemto AP２が変換するＳＩＰメッセージで、ＣＰＣパラメータの値をnotificationとすることにより、発信規制における不具合を発生させることなく、ＵＥ１からの付加サービス識別情報を、ＣＳＣＦを通過させてＩＰＳＭＧＷ５宛に送信することができる。
【０２０１】
また、本実施形態では、ＵＥ１からの付加サービス識別情報を含むようFemto AP２が変換するＳＩＰメッセージで、ＭＥＳＳＡＧＥメソッドを用いることにより、ＳＳ制御のための制御信号をＩＰＳＭＧＷ５に認識させ、ＳＳ制御のための制御情報をコアネットワーク内にスムーズに流通させることができる。
【０２０２】
なお、上述した各実施形態は本発明の好適な実施形態であり、本発明はこれに限定されることなく、本発明の技術的思想に基づいて種々変形して実施することが可能である。
【０２０３】
例えば、上述した実施形態では、ＳＩＰメッセージにおけるProtocol Discriminatorの値を、ＳＳ制御を示すものとすることにより、ＳＳ制御を示す付加サービス識別情報としてＩＰＳＭＧＷ５などでの判別に用いているが、この付加サービス識別情報はＳＳ制御を示す情報であればProtocol Discriminatorに限定されず、ＳＩＰメッセージにおける他の情報であってもよい。すなわち、この付加サービス識別情報が、例えばＳＩＰメッセージのヘッダ情報や、ＳＩＰメッセージのＢｏｄｙ部における他の部分に含まれる構成であっても、ＳＩＰメッセージ内にＳＳ制御を示すと識別可能な情報が含まれていれば、本発明は同様に実現することができる。
【０２０４】
また、本明細書における「システム」とは、複数の装置（又は特定の機能を実現する機能モジュール）が論理的に集合したもののことであり、各装置や各機能モジュールが単一の筐体内にあるか否かは特に問われるものではない。
特に、ＩＰＳＭＧＷ５、ＨＳＳ／ＭＡＰＧＷ６、ＶＬＲ７、ＨＬＲ８は所定の機能を実現するものであり、各機能を実現する構成が単一の筐体内にあるか否かは特に問われるものではない。
【０２０５】
また、上述した実施形態では、ＩＰＳＭＧＷ５が、受信したＳＩＰメッセージがＳＭＳを示すものであるか、ＳＳ制御など他の制御信号を示すものであるかに基づいて送信先の判別を行い、制御信号を示すものであればプロトコル変換してＨＳＳ／ＭＡＰＧＷ６との間で信号を送受信することとして説明している。しかし、こうした本実施形態としての判別、変換、送受信といった各機能を実現することができれば上述の構成に限定されず、他の装置がそれら機能を備える構成であっても、本発明は同様に実現することができる。
例えば、図１５に示すように、ＣＳＣＦ４が標準的に備えるサービス振り分け機能により上述した送信先の判別を行い、プロトコル変換や送受信といったＨＳＳ／ＭＡＰＧＷ６との間の通信制御をＡＳ（application server；変換装置）が行う構成であってもよい。すなわち、ＣＳＣＦ４とＡＳによるゲートウェイシステムが上述したＩＰＳＭＧＷ５による本実施形態としての判別、変換、送受信といった各機能を実装する構成であっても、本発明は同様に実現することができる。
【０２０６】
図１５に示す構成とする場合、Femto AP２が、送信するＳＩＰメッセージに何らかのサービス判別子を付与することにより、ＣＳＣＦ４がＨＳＳ／ＭＡＰＧＷ６からダウンロードした加入者プロファイルのiFC（Initial Filter Criteria）を参照して送信先の判別を行うこととなる。
【０２０７】
また、上述した図１５に示す構成で、プロトコル変換や送受信といったＨＳＳ／ＭＡＰＧＷ６との間の通信制御機能をＡＳが備えることとして説明したが、上述のように、この通信制御機能を実現する変換装置としての構成がどの筐体内にあるかは特に問われるものでなく、例えば、ＣＳＣＦ４やＨＳＳが備える構成であってもよい。
【０２０８】
また、上述した各実施形態としてのフェムトセル用基地局、ＩＰＳＭＧＷ（ショートメッセージゲートウェイ装置）、ＨＳＳ／ＭＡＰＧＷ（ＭＡＰゲートウェイ装置）を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ-ＲＯＭ、ＣＤ-Ｒ、ＣＤ-ＲＷ、ＤＶＤ-ＲＯＭ、ＤＶＤ-ＲＡＭ、ＤＶＤ-ＲＷ、ＤＶＤ+ＲＷ、磁気テープ、不揮発性のメモリーカード、ＲＯＭ等を用いてよい。
【０２０９】
この本発明に係るプログラムによれば、当該プログラムによって制御されるフェムトセル用基地局、ショートメッセージゲートウェイ装置、ＭＡＰゲートウェイ装置に、上述した各実施形態における各機能を実現させることができる。
【符号の説明】
【０２１０】
１    ＵＥ（無線端末の一例）
２    Femto AP（フェムトセル用基地局の一例）
３    ＰＤＧ
４    ＣＳＣＦ
５    ＩＰＳＭＧＷ（ゲートウェイシステムの一例）
６    ＨＳＳ／ＭＡＰＧＷ（ＭＡＰゲートウェイ装置の一例）
７    ＶＬＲ
８    ＨＬＲ
９５    ＳＭＳＣ
【図１】
0005392830.tif 000002
【図２】
0005392830.tif 000003
【図３】
0005392830.tif 000004
【図４】
0005392830.tif 000005
【図５】
0005392830.tif 000006
【図６】
0005392830.tif 000007
【図７】
0005392830.tif 000008
【図８】
0005392830.tif 000009
【図９】
0005392830.tif 000010
【図１０】
0005392830.tif 000011
【図１１】
0005392830.tif 000012
【図１２】
0005392830.tif 000013
【図１３】
0005392830.tif 000014
【図１４】
0005392830.tif 000015
【図１５】
0005392830.tif 000016